(57)【要約】【課題】フォントのサイズを効率的にバランス良く（ｎ＋０．５）倍（ｎは正の整数）に拡大するフォント拡大装置および方法、ならびに、このフォント拡大装置および方法を備える印字装置および方法を実現する。【解決手段】ドットの集合で構成されるフォントを（ｎ＋０．５）倍（ｎは正の整数）に拡大するフォント拡大装置１は、予め規定された拡大変換テーブル１３を参照してフォントを第１の拡大方向に拡大する第１の変換手段１１と、第１の拡大方向に沿う各ドットラインを１組として、各該ドットラインを、フォントの第１の拡大方向とは異なる第２の拡大方向にｎ倍もしくは（ｎ＋１）倍と交互に拡大する第２の変換手段１２と、を備える。【選択図】      図１
2005037529.tif 000002
【特許請求の範囲】
【請求項１】
ドットの集合で構成されるフォントを（ｎ＋０．５）倍（ｎは正の整数）に拡大するフォント拡大装置であって、
予め規定された拡大変換テーブルを参照して前記フォントを第１の拡大方向に拡大する第１の変換手段と、
前記第１の拡大方向に沿う各ドットラインを１組として、各該ドットラインを、前記フォントの前記第１の拡大方向とは異なる第２の拡大方向にｎ倍もしくは（ｎ＋１）倍と交互に拡大する第２の変換手段と、を備えることを特徴とするフォント拡大装置。
【請求項２】
前記拡大変換テーブルには、第１のドットおよび第２のドットからなる２ドット分を、前記第１のドットを前記第１の拡大方向にｎ倍に拡大して得られるドットの組と、前記第２のドットを前記第１の拡大方向にｎ倍に拡大して得られるドットの組と、これらドットの組間に配置され、前記第１のドットもしくは前記第２のドットのいずれか一方が第１の色であれば該第１の色、そうでなければ前記第１の色とは異なる第２の色としたドットと、からなる（２ｎ＋１）ドットに変換するフォント変換パターンが規定される請求項１に記載のフォント拡大装置。
【請求項３】
前記第２の変換手段は、
（ｎ＋１）倍に拡大すべきドットライン上に第１の色のドットが含まれるか否かを判定する第１の判定手段と、
該第１の判定手段において前記第１の色のドットが含まれると判定された場合、前記（ｎ＋１）倍に拡大すべきドットラインに隣接するｎ倍に拡大すべきドットライン上の、前記第１の色のドットに隣接するドットが、前記第１の色とは異なる第２の色であるか否かを判定する第２の判定手段と、
該第２の判定手段において前記の第２の色であると判定された場合、前記ｎ倍に拡大すべきドットラインに隣接する（ｎ＋１）倍に拡大すべきさらなるドットライン上の、前記第２の色のドットに隣接するドットが、前記第１の色であるか否かを判定する第３の判定手段と、
該第３の判定手段において前記の第１の色であると判定された場合、前記第１の判定手段において判定された前記（ｎ＋１）倍に拡大すべきドットライン上もしくは前記（ｎ＋１）倍に拡大すべきさらなるドットライン上のいずれかの当該第１の色のドットを、前記第２の色に修正する修正手段と、を備える請求項１に記載のフォント拡大装置。
【請求項４】
請求項１〜３のいずれか一項に記載のフォント拡大装置によって拡大されたフォントを印字することを特徴とする印字装置。
【請求項５】
ドットの集合で構成されるフォントを（ｎ＋０．５）倍（ｎは正の整数）に拡大するフォント拡大方法であって、
予め規定された拡大変換テーブルを参照して前記フォントを第１の拡大方向に拡大する第１の変換ステップと、
前記第１の拡大方向に沿う各ドットラインを１組として、各該ドットラインを、前記フォントの前記第１の拡大方向とは異なる第２の拡大方向にｎ倍もしくはｎ＋１倍と交互に拡大する第２の変換ステップと、を備えることを特徴とするフォント拡大方法。
【請求項６】
前記拡大変換テーブルには、第１のドットおよび第２のドットからなる２ドット分を、前記第１のドットを前記第１の拡大方向にｎ倍に拡大して得られるドットの組と、前記第２のドットを前記第１の拡大方向にｎ倍に拡大して得られるドットの組と、これらドットの組間に配置され、前記第１のドットもしくは前記第２のドットのいずれか一方が第１の色であれば該第１の色、そうでなければ前記第１の色とは異なる第２の色としたドットと、からなる（２ｎ＋１）ドットに変換するフォント変換パターンが規定される請求項５に記載のフォント拡大方法。
【請求項７】
前記第２の変換ステップは、
（ｎ＋１）倍に拡大すべきドットライン上に第１の色のドットが含まれるか否かを判定する第１の判定ステップと、
該第１の判定ステップにおいて前記第１の色のドットが含まれると判定された場合、前記（ｎ＋１）倍に拡大すべきドットラインに隣接するｎ倍に拡大すべきドットライン上の、前記第１の色のドットに隣接するドットが、前記第１の色とは異なる第２の色であるか否かを判定する第２の判定ステップと、
該第２の判定ステップにおいて前記の第２の色であると判定された場合、前記ｎ倍に拡大すべきドットラインに隣接する（ｎ＋１）倍に拡大すべきさらなるドットライン上の、前記第２の色のドットに隣接するドットが、前記第１の色であるか否かを判定する第３の判定ステップと、
該第３の判定ステップにおいて前記の第１の色であると判定された場合、前記第１の判定ステップにおいて判定された前記（ｎ＋１）倍に拡大すべきドットライン上もしくは前記（ｎ＋１）倍に拡大すべきさらなるドットライン上のいずれかの当該第１の色のドットを、前記第２の色に修正する修正ステップと、を備える請求項５に記載のフォント拡大方法。
【請求項８】
請求項５〜７のいずれか一項に記載のフォント拡大方法によって拡大されたフォントを印字することを特徴とする印字方法。
【発明の詳細な説明】
【０００１】
【発明の属する技術分野】
本発明は、ドットの集合で構成されるフォントのサイズを拡大するフォント拡大装置および方法、ならびに、このフォント拡大装置および方法を備える印字装置および方法に関する。
【０００２】
【従来の技術】
サーマルプリンタ、ラベルプリンタ、あるいはワープロなどの印字装置においては、フォントを記憶したメモリにアクセスしてデータをドットパターンに変換した後、印字する。フォントはドットの集合で構成されるが、メモリ上のフォントのサイズは整数倍でしか拡大することができない。したがって、フォントのサイズを（ｎ＋０．５）倍（ｎは正の整数、以下同様）に拡大して印字する場合、フォントを構成するドットを、縦方向および横方向の両方向について、偶数番目および奇数番目のドットライン毎にｎ倍もしくは（ｎ＋１）倍と交互に拡大する方法が従来から取られている。
【０００３】
例えば、フォントのパターンの偶数行および偶数列のドットを縦および横方向にｎ倍し、奇数行および奇数列のドットを縦および横方向に（ｎ＋１）倍にして非整数倍の拡大倍率を得るフォント拡大装置および印字装置がある（例えば、特許文献１参照）。
【０００４】
また例えば、文字パターンについて、横方向および縦方向に対して、シフトレジスタ等の論理回路を使用して２ビット単位でパターンを拡大し、単一の文字パターンから整数倍とその中間の拡大文字パターンを得る文字パターン発生装置がある（例えば、特許文献２参照）。
【０００５】
【特許文献１】
特開平７−１５６４５０号公報
【特許文献２】
特開昭６２−１７７９０号公報
【０００６】
【発明が解決しようとする課題】
フォントのサイズを（ｎ＋０．５）倍に拡大する場合、上述の従来例のような、縦方向および横方向の両方向について偶数番目および奇数番目のドットライン毎にｎ倍もしくは（ｎ＋１）倍と交互に拡大する方法は、展開処理が複雑であり、処理時間もかかる。
【０００７】
また、特に漢字フォントについていえば、例えば「籍」、「暑」、「買」あるいは「簡」等、横棒が多く縦方向のドット間隔が狭い文字フォントが多数存在し、このような文字フォントのサイズを（ｎ＋０．５）倍に拡大して印字すると、印字ドット部は空白部に比べて縦方向に太くなり、印字の際にじみが発生しやすい。
【０００８】
従って本発明の目的は、上記問題に鑑み、フォントのサイズを効率的にバランス良く（ｎ＋０．５）倍（ｎは正の整数）に拡大するフォント拡大装置および方法、ならびに、このフォント拡大装置および方法を備える印字装置および方法を提供することにある。
【０００９】
【課題を解決するための手段】
上記目的を実現するために、本発明においては、ドットの集合で構成されるフォントを（ｎ＋０．５）倍（ｎは正の整数）に拡大する場合、フォントの第１の拡大方向については、予め規定された拡大変換テーブルを参照して拡大し、フォントの第１の拡大方向とは異なる第２の拡大方向については、第１の拡大方向に沿う各ドットラインを１組として、各該ドットラインをｎ倍もしくは（ｎ＋１）倍と交互に拡大する。
【００１０】
図１は、本発明によるフォント拡大装置の原理ブロック図である。以降、異なる図面において同じ参照番号が付されたものは同じ構成要素であることを意味するものとする。以降、各ドット単位を黒色の四角形もしくは白色の四角形で図示する。
【００１１】
ドットの集合で構成されるフォントを（ｎ＋０．５）倍（ｎは正の整数）に拡大するフォント拡大装置１は、予め規定された拡大変換テーブル１３を参照してフォントを第１の拡大方向に拡大する第１の変換手段１１と、第１の拡大方向に沿う各ドットラインを１組として、各該ドットラインを、フォントの第１の拡大方向とは異なる第２の拡大方向にｎ倍もしくは（ｎ＋１）倍と交互に拡大する第２の変換手段１２と、を備える。
【００１２】
第１の変換手段１１および第２の変換手段１２は、フォント拡大装置１内の制御部１０によって統括制御される。第１の変換手段１１により、フォントＦ１はフォントＦ２に拡大され、フォントＦ３はフォントＦ４に拡大される。第２の変換手段１２により、フォントＦ１はフォントＦ３に拡大され、フォントＦ２はフォントＦ４に拡大される。すなわち、本発明によるフォント拡大装置１によれば、フォントＦ１を（ｎ＋０．５）倍に拡大し、フォントＦ４が得られる。
【００１３】
図２は、本発明における拡大変換テーブルの原理図である。
【００１４】
拡大変換テーブルには、第１のドットａおよび第２のドットｂからなる２ドット分を、第１のドットａを第１の拡大方向にｎ倍に拡大して得られるドットの組（ａ、…、ａ）と、第２のドットｂを第１の拡大方向にｎ倍に拡大して得られるドットの組（ｂ、…、ｂ）と、これらドットの組（ａ、…、ａ）および（ｂ、…、ｂ）間に配置され、第１のドットａもしくは第２のドットｂのいずれか一方が第１の色であれば第１の色、そうでなければ第１の色とは異なる第２の色としたドットｃと、からなる（２ｎ＋１）ドットに変換するフォント変換パターンが規定される。
【００１５】
また、印字装置は、上記フォント拡大装置を備え、このフォント拡大装置によって拡大されたフォントを印字する。
【００１６】
本発明によれば、フォントのサイズを、効率よく、かつ、印字したときにバランスよく、（ｎ＋０．５）倍（ｎは正の整数）に拡大することができる。
【００１７】
【発明の実施の形態】
本発明によれば、ドットの集合で構成されるフォントを（ｎ＋０．５）倍（ｎは正の整数）に拡大する場合、フォントの第１の拡大方向については、予め規定された拡大変換テーブルを参照して拡大し、フォントの第１の拡大方向とは異なる第２の拡大方向については、第１の拡大方向に沿う各ドットラインを１組として、各該ドットラインをｎ倍もしくは（ｎ＋１）倍と交互に拡大する。ここでは、実施例として、フォントの第１の拡大方向を横方向、第２の拡大方向を縦方向とした場合について説明する。
【００１８】
はじめに、横方向の拡大に用いる拡大変換テーブルについて説明する。図２を参照して説明したように、拡大変換テーブルには、フォントデータのうち、抽出した２ドット分を（２ｎ＋１）ドットに変換するフォント変換パターンが規定されている。ここでは、説明を簡単にするために、第１の色を黒色、第２の色を白色とする。なお、白色のドットは、例えばモノクロのプリンタにおいては、黒色が印字されない空白部分に相当する。
【００１９】
図３は、本発明の実施例において、フォントを一方向に１．５倍に拡大する拡大変換テーブルを示す図である。
【００２０】
フォントを一方向（本実施例では横方向）に１．５倍に拡大する場合、拡大変換テーブルには、図３（ａ）〜（ｄ）に示されるパターンＡ〜Ｄのフォント変換パターンが規定される。
【００２１】
図３（ａ）に示すパターンＡは、抽出した２ドットすなわち拡大すべき２ドットがともに白である場合を示しており、この場合は、３ドットの白に変換される。図３（ｂ）に示すパターンＢは、抽出した２ドットが（白、黒）である場合を示しており、（白、黒、黒）の３ドットに変換される。図３（ｃ）に示すパターンＣは、抽出した２ドットが（黒、白）である場合を示しており、この場合、（黒、黒、白）の３ドットに変換される。図３（ｄ）に示すパターンＤは、抽出した２ドットがともに黒である場合を示しており、この場合は、３ドットの黒に変換される。
【００２２】
以上のように、図３に示す拡大変換テーブルによれば、２ドットは１．５倍の３ドットに拡大される。
【００２３】
図４は、本発明の実施例において、フォントを一方向に２．５倍に拡大する拡大変換テーブルを示す図である。
【００２４】
フォントを一方向（本実施例では横方向）に２．５倍に拡大する場合、拡大変換テーブルには、図４（ａ）〜（ｄ）に示されるパターンＡ〜Ｄのフォント変換パターンが規定される。
【００２５】
図４（ａ）に示すパターンＡは、抽出した２ドットすなわち拡大すべき２ドットがともに白である場合を示しており、この場合は、５ドットの白に変換される。図４（ｂ）に示すパターンＢは、抽出した２ドットが（白、黒）である場合を示しており、（白、白、黒、黒、黒）の５ドットに変換される。図４（ｃ）に示すパターンＣは、抽出した２ドットが（黒、白）である場合を示しており、この場合、（黒、黒、黒、白、白）の５ドットに変換される。図４（ｄ）に示すパターンＤは、抽出した２ドットがともに黒である場合を示しており、この場合は、５ドットの黒に変換される。
【００２６】
以上のように、図４に示す拡大変換テーブルによれば、２ドットは２．５倍の５ドットに拡大される。
【００２７】
図５は、本発明の実施例において、フォントを一方向に３．５倍に拡大する拡大変換テーブルを示す図である。
【００２８】
フォントを一方向（本実施例では横方向）に３．５倍に拡大する場合、拡大変換テーブルには、図５（ａ）〜（ｄ）に示されるパターンＡ〜Ｄのフォント変換パターンが規定される。
【００２９】
図５（ａ）に示すパターンＡは、抽出した２ドットすなわち拡大すべき２ドットがともに白である場合を示しており、この場合は、７ドットの白に変換される。図５（ｂ）に示すパターンＢは、抽出した２ドットが（白、黒）である場合を示しており、（白、白、白、黒、黒、黒、黒）の７ドットに変換される。図５（ｃ）に示すパターンＣは、抽出した２ドットが（黒、白）である場合を示しており、この場合、（黒、黒、黒、黒、白、白、白）の７ドットに変換される。図５（ｄ）に示すパターンＤは、抽出した２ドットがともに黒である場合を示しており、この場合は、７ドットの黒に変換される。
【００３０】
以上のように、図５に示す拡大変換テーブルによれば、２ドットは３．５倍の７ドットに拡大される。
【００３１】
続いて、上述した拡大変換テーブルを利用して、フォントのサイズを１．５倍に拡大する例について説明する。本実施例では、フォントの横方向については、予め規定された拡大変換テーブルを参照して拡大し、フォントの縦方向については、横方向に沿う各ドットラインを１組として、偶数番目のドットラインは１倍、奇数番目のドットラインは２倍に拡大する。
【００３２】
図６は、本発明の実施例において、フォントを構成するドットの１．５倍の拡大を例示する説明図である。
【００３３】
図６（ａ）に示すようなドットで構成されるフォントを横方向に拡大する場合、図３に示す拡大変換テーブルを参照して拡大変換を実行する。具体的には、横方向に沿うドットラインごとに２ドットずつ抽出していき、該２ドットを図３に示したパターンＡ〜Ｄのいずれかに当てはめて順次拡大変換をしていく。これにより、図６（ｂ）に示すような横方向に拡大されたドットパターンが得られる。
【００３４】
次いで、横方向が拡大された図６（ｂ）に示すドットパターンについて、横方向に沿う各ドットラインを１組として、偶数番目のドットラインは１倍、奇数番目のドットラインは２倍に、それぞれ縦方向に拡大する。これにより図６（ｄ）に示すような、図６（ａ）のフォントを１．５倍に拡大したドットパターンが得られる。
【００３５】
なお、本実施例では、図６（ａ）のフォントについて、横方向に拡大した後に縦方向に拡大したが、縦方向に拡大した後に横方向に拡大してもよい。この場合、まず、図６（ａ）に示すフォントにおいて横方向に沿う各ドットラインを１組として、偶数番目のドットラインは１倍、奇数番目のドットラインは２倍に、それぞれ縦方向に拡大し、図６（ｃ）に示すようなドットパターンを得る。次いで、縦方向が拡大された図６（ｃ）に示すドットパターンは、図３に示す拡大変換テーブルを参照することで、図６（ｄ）に示すようなドットパターンに拡大される。
【００３６】
以上説明したように、本発明の実施例によれば、フォントのサイズを（ｎ＋０．５）倍に拡大する場合、従来例のような縦方向および横方向の両方向について偶数番目および奇数番目のドットライン毎にｎ倍もしくは（ｎ＋１）倍と交互に拡大する複雑な展開処理を必要とせず、一方向については拡大変換テーブルを用いて簡潔な拡大処理を実現することができる。なお、本実施例では、一方向のみ拡大変換テーブルを用いてフォント拡大したが、縦横両方向について拡大変換テーブルを用いてフォントを拡大してもよい。
【００３７】
ところで、上述のように、漢字フォントなどのように横棒が多く縦方向のドット間隔が狭いフォントを（ｎ＋０．５）倍に拡大して印字すると、印字ドット部（黒色のドット部分）は空白部に比べて縦方向について太くなり、印字ににじみが発生しやすい。図７は、従来例において、フォントを構成するドットの１．５倍の拡大を例示する説明図である。図７（ａ）に例示するような横棒が多く縦方向のドット間隔が狭いフォントを１．５倍に拡大すると、図７（ｄ）に例示するように、黒色が２ドットライン存在するのに対して白色（すなわち印字されない部分）は１ドットライン分となり、このような拡大処理により黒色の部分が白色の部分よりも一層強調されたことになる。この部分は印字の際にじみとなり得る。
【００３８】
そこで、本発明の実施例の変形例では、より鮮明な印字を確保するために、フォント拡大装置は、（ｎ＋１）倍に拡大すべきドットライン上に第１の色のドットが含まれるか否かを判定する第１の判定手段と、第１の判定手段において前記の第１の色のドットが含まれると判定された場合、（ｎ＋１）倍に拡大すべきドットラインに隣接するｎ倍に拡大すべきドットライン上の、第１の色のドットに隣接するドットが、第１の色とは異なる第２の色であるか否かを判定する第２の判定手段と、第２の判定手段において前記の第２の色であると判定された場合、ｎ倍に拡大すべきドットラインに隣接する（ｎ＋１）倍に拡大すべきさらなるドットライン上の、第２の色のドットに隣接するドットが、第１の色であるか否かを判定する第３の判定手段と、第３の判定手段において前記の第１の色であると判定された場合、第１の判定手段において判定された（ｎ＋１）倍に拡大すべきドットライン上もしくは（ｎ＋１）倍に拡大すべきさらなるドットライン上のいずれかの当該第１の色のドットを、第２の色に修正する修正手段と、をさらに備える。
【００３９】
図８は、本発明の実施例の変形例において、フォントを構成するドットの１．５倍の拡大を例示する説明図（その１）である。なお、図８（ａ）に示すドットパターンは図７（ａ）のものと同様である。
【００４０】
図８（ａ）において、フォントの縦方向について、横方向に沿う各ドットラインを１組として、偶数番目のドットラインを１倍、奇数番目のドットラインを２倍に拡大する場合、本変形例では、まず、２倍に拡大すべきドットライン（すなわち奇数番目のドットライン）上に黒色のドットが含まれるか否かを判定する。２倍に拡大すべきドットライン上に黒色のドットが含まれる場合、このドットラインに隣接する１倍に拡大すべきドットライン（すなわち偶数番目のドットライン）上の、黒色のドットに隣接するドットが、白色であるか否かを判定する。白色であると判定された場合、１倍に拡大すべきドットラインに隣接する２倍に拡大すべきさらなるドットライン上（すなわち、１倍に拡大すべきドットラインを上述の２倍に拡大すべきドットラインと共に挟むことになるドットライン上）に存在しかつ上述の白色のドットに隣接するドットが、黒色であるか否かを判定する。黒色であると判定された場合、上述の２倍に拡大すべきドットライン上もしくは上述の２倍に拡大すべきさらなるドットライン上のいずれかの当該黒色のドットを、白色に修正する。
【００４１】
これにより、図８（ａ）に例示したフォントパターンは、図８（ｃ）に示すように１．５倍に拡大される。すなわち、図７（ｃ）の従来例によれば本来であれば黒ドットであった部分が、本変形例によれば図８（ｃ）に示すように白ドット（図中、点線で囲まれた四角形で示される）に修正される。この結果、白色の部分が従来例に比べて太くなり、図８（ｄ）に示すように、にじむことなく鮮明に印字される。
【００４２】
図９〜１２は、本発明の実施例の変形例において、フォントを構成するドットの１．５倍の拡大を例示する説明図（その２）である。
【００４３】
図９（ａ）に例示したフォントを横方向に拡大する場合、図３に示す拡大変換テーブルを参照して拡大変換を実行する。具体的には、横方向に沿うドットラインごとに２ドットずつ抽出していき、該２ドットを図３に示したパターンＡ〜Ｄのいずれかに当てはめて順次拡大変換をしていく。これにより、図９（ｂ）に示すような横方向に拡大されたドットパターンが得られる。
【００４４】
次いで、横方向が拡大された図９（ｂ）（図１０（ａ）として改めて示す）に示すドットパターンについて、横方向に沿う各ドットラインを１組として、偶数番目のドットラインは１倍、奇数番目のドットラインは２倍に、それぞれ縦方向に拡大する。これにより図１０（ｂ）に示すような、図１０（ａ）のフォントを１．５倍に拡大したドットパターンが得られる。
【００４５】
ここで、図１０（ｂ）の部分Ｍ（図１１（ａ）として改めて示す）は、白色（すなわち印字されない部分）のドットが、黒色のドットラインに挟まれた１ドットライン上に存在しており、このまま印字するとにじみを生じやすい。したがって、２倍に拡大したドットライン上の黒色のドットを、白に修正し、図１１（ｂ）が得られる。
【００４６】
この結果、図９（ａ）（図１２（ａ）として改めて示す）に例示したフォントは、本発明の実施例の変形例により１．５に拡大され、図１２（ｂ）に示すようなドットパターンが得られる。
【００４７】
以上説明したように、本発明の実施例の変形例によればさらに鮮明な印字を実現することができる。
【００４８】
なお、上述の、本発明の実施例および変形例では、フォントの縦方向については、横方向に沿う各ドットラインを１組として、偶数番目のドットラインをｎ倍、奇数番目のドットラインを（ｎ＋１）倍に拡大したが、偶数番目のドットラインを（ｎ＋１）倍、奇数番目のドットラインをｎ倍に拡大してもよい。
【００４９】
またあるいは、フォントの縦方向については拡大変換テーブルを参照して拡大し、横方向についてドットラインごとに（ｎ＋１）倍もしくはｎ倍する拡大を実現してもよい。このとき、縦棒が多く横方向のドット間隔が狭いフォントについて上述の変形例を適用すればさらに鮮明な印字を実現することができる。
【００５０】
【発明の効果】
以上説明したように、本発明によれば、フォントのサイズを（ｎ＋０．５）倍に拡大する場合、従来例のような縦方向および横方向の両方向について偶数番目および奇数番目のドットライン毎にｎ倍もしくは（ｎ＋１）倍と交互に拡大する複雑な展開処理を必要とせず、簡潔な拡大処理を実現することができる。
【００５１】
また、ある一方向が特にドット間隔が狭くなるような場合は適宜修正を加えていけば鮮明な印字を実現することができる。
【図面の簡単な説明】
【図１】本発明によるフォント拡大装置の原理ブロック図である。
【図２】本発明における拡大変換テーブルの原理図である。
【図３】本発明の実施例において、フォントを一方向に１．５倍に拡大する拡大変換テーブルを示す図である。
【図４】本発明の実施例において、フォントを一方向に２．５倍に拡大する拡大変換テーブルを示す図である。
【図５】本発明の実施例において、フォントを一方向に３．５倍に拡大する拡大変換テーブルを示す図である。
【図６】本発明の実施例において、フォントを構成するドットの１．５倍の拡大を例示する説明図である。
【図７】従来例において、フォントを構成するドットの１．５倍の拡大を例示する説明図である。
【図８】本発明の実施例の変形例において、フォントを構成するドットの１．５倍の拡大を例示する説明図（その１）ある。
【図９】本発明の実施例の変形例において、フォントを構成するドットの１．５倍の拡大を例示する説明図（その２）ある。
【図１０】本発明の実施例の変形例において、フォントを構成するドットの１．５倍の拡大を例示する説明図（その２）ある。
【図１１】本発明の実施例の変形例において、フォントを構成するドットの１．５倍の拡大を例示する説明図（その２）ある。
【図１２】本発明の実施例の変形例において、フォントを構成するドットの１．５倍の拡大を例示する説明図（その２）ある。
【符号の説明】
１…フォント拡大装置
１０…制御部
１１…第１の変換手段
１２…第２の変換手段
１３…拡大変換テーブル
【図１】
2005037529.tif 000003
【図２】
2005037529.tif 000004
【図３】
2005037529.tif 000005
【図４】
2005037529.tif 000006
【図５】
2005037529.tif 000007
【図６】
2005037529.tif 000008
【図７】
2005037529.tif 000009
【図８】
2005037529.tif 000010
【図９】
2005037529.tif 000011
【図１０】
2005037529.tif 000012
【図１１】
2005037529.tif 000013
【図１２】
2005037529.tif 000014